(57)【要約】【課題】脱着を容易に行うこと。【解決手段】中継コネクタ１３のハウジング２０は、機器ケース１１の取付孔１１Ｘに配設される固定部２１と、固定部２１から機器ケース１１の外側に突出する外側フード部２２と、固定部２１から機器ケース１１の内側に配設される内側フード部２３とを有している。固定部２１は、内側端部２１ｃに、取付孔１１Ｘの径よりも大きい外径の内側係合部２１ｄを有し、外側フード部２２側にＣリング装着溝２１ｆが全周に亘って形成されている。また、固定部２１は、内側係合部２１ｄとＣリング装着溝２１ｆとの間に、シールリング装着溝２１ｂを有している。【選択図】図３
2018107018.tif 000002
【特許請求の範囲】
【請求項１】
機器ケースの取付孔に前記機器ケースの内側から取り付けられる中継コネクタであって、
ハウジングと、前記ハウジングに装着されるＣリングと、を有し、
前記ハウジングは、
前記取付孔に配設される固定部と、
前記固定部から前記機器ケースの外側に突出する外側フード部と、
前記固定部から前記機器ケースの内側に突出する内側フード部と、
を有し、
前記固定部は、
前記内側フード部側に配設され、前記取付孔の径よりも大きな外径に形成された内側係合部と、
前記外側フード部側に配設され、前記固定部の外周面の全周に亘って形成され、前記Ｃリングが装着されるＣリング装着溝と、
を有することを特徴とする中継コネクタ。
【請求項２】
前記外側フード部の外側面には、前記外側フード部に挿入されるコネクタ部と係合して前記コネクタ部を抜け止めするリテーナが配設されたことを特徴とする請求項１に記載の中継コネクタ。
【請求項３】
前記固定部は、前記内側係合部と前記Ｃリング装着溝との間に配設され、前記固定部の外周面の全周に亘って形成され、シールリングが装着されるシールリング装着溝を有することを特徴とする請求項１又は２に記載の中継コネクタ。
【発明の詳細な説明】
【技術分野】
【０００１】
本発明は、中継コネクタに関する。
【背景技術】
【０００２】
従来、車両用のコネクタとしては、例えばトランスミッションケース等のオイルが収容される機器ケースに取り付けられて、機器ケースの内部に配置されている電気機器と機器ケースの外部の制御回路等とを接続するための中継コネクタが知られている（例えば、特許文献１参照）。中継コネクタは、例えばボルトにより機器ケースに固定される。
【先行技術文献】
【特許文献】
【０００３】
【特許文献１】特開２０１２−２５６４７４号公報
【発明の概要】
【発明が解決しようとする課題】
【０００４】
ところで、上記のような中継コネクタには、機器ケースの内部から、先端の外部接続部が機器ケースの外部へと突出するように固定されるものがある。このような中継コネクタは、機器ケースの内部において、ボルトにより機器ケースに固定される。このため、中継コネクタの脱着に手間がかかるという問題がある。例えば、修理等のときに挿入する工具のための隙間が必要であり、中継コネクタを外すのに手間がかかる。また、修理後に中継コネクタを取り付けるのに手間がかかる。
【０００５】
本発明は上記問題点を解決するためになされたものであって、その目的は、脱着が容易な中継コネクタを提供することにある。
【課題を解決するための手段】
【０００６】
上記課題を解決する中継コネクタは、機器ケースの取付孔に前記機器ケースの内側から取り付けられる中継コネクタであって、ハウジングと、前記ハウジングに装着されるＣリングと、を有し、前記ハウジングは、前記取付孔に配設される固定部と、前記固定部から前記機器ケースの外側に突出する外側フード部と、前記固定部から前記機器ケースの内側に突出する内側フード部と、を有し、前記固定部は、前記内側フード部側に配設され、前記取付孔の径よりも大きな外径に形成された内側係合部と、前記外側フード部側に配設され、前記固定部の外周面の全周に亘って形成され、前記Ｃリングが装着されるＣリング装着溝と、を有する。
【０００７】
この構成によれば、中継コネクタのハウジングは、機器ケースの内側から機器ケースの外側に向かって取付孔に挿入される。ハウジングの固定部は、取付孔よりも大きい外形の内側係合部を有している。この内側係合部が機器ケースの取付孔の内側端部に当接してハウジングが位置決めされる。固定部は、機器ケースから突出する外側フード部側にＣリング装着溝を有している。このＣリング装着溝に装着されるＣリングは、機器ケースの外面に当接する。Ｃリングの当接により、ハウジングが機器ケースの内側に外れることが規制される。このように、機器ケースの外側からハウジングにＣリングを装着することにより、ハウジングが機器ケースに固定される。そして、Ｃリングをハウジングから外すことで、ハウジングを機器ケースから内側に取り外すことができる。
【０００８】
上記の中継コネクタにおいて、前記外側フード部の外側面には、前記外側フード部に挿入されるコネクタ部と係合して前記コネクタ部を抜け止めするリテーナが配設されたことが好ましい。
【０００９】
この構成によれば、外側フード部に支持されたリテーナを操作することにより、中継コネクタと、その中継コネクタの外側フード部に挿入されるコネクタ部との抜け止め、取り外しを行うことができる。
【００１０】
上記の中継コネクタにおいて、前記固定部は、前記内側係合部と前記Ｃリング装着溝との間に配設され、前記固定部の外周面の全周に亘って形成され、シールリングが装着されるシールリング装着溝を有することが好ましい。
【００１１】
この構成によれば、シールリング装着溝に装着されるシールリングにより、中継コネクタが機器ケースの取付孔に対して液密に嵌着される。
【発明の効果】
【００１２】
本発明の中継コネクタによれば、脱着を容易に行うことができる。
【図面の簡単な説明】
【００１３】
【図１】中継コネクタが配設される機器ケースと制御ユニットを示す概略図。
【図２】機器ケースに取着された中継コネクタと制御ユニットのコネクタ部とを示す概略側面図。
【図３】機器ケースの取付孔と中継コネクタと制御ユニットのコネクタ部とを示す分解斜視図。
【図４】（ａ）は機器ケースに取着された中継コネクタを機器ケースの外側から視た斜視図、（ｂ）は機器ケースに取着された中継コネクタを機器ケースの内側から視た斜視図。
【発明を実施するための形態】
【００１４】
以下、各形態を説明する。
なお、添付図面は、理解を容易にするために構成要素を拡大して示している場合がある。構成要素の寸法比率は実際のものと、または別の図面中のものと異なる場合がある。
【００１５】
図１に示すように、対象物としての機器ケース１１の上部に、制御ユニット１２が例えばネジ等により固定されている。機器ケース１１は、例えばトランスミッションケースであり、内部にモータやセンサ等の電気部品が配設されている。制御ユニット１２には機器ケース１１内に配設された電機部品と接続される制御回路等が収容されている。機器ケース１１には中継コネクタ１３が配設されている。制御回路等は、中継コネクタ１３を介して機器ケース１１内の電気部品と接続される。
【００１６】
図２に示すように、機器ケース１１は、取付孔１１Ｘを有している。中継コネクタ１３は、取付孔１１Ｘに嵌合可能に形成されている。
中継コネクタ１３は、ハウジング２０と、ハウジング２０に支持された複数の端子３１と、取付孔１１Ｘに対して液密にシールするためのシールリング３２と、ハウジング２０を固定するためのＣリング３３とを有している。ハウジング２０は、例えば合成樹脂製である。複数の端子３１は、例えば金属製である。Ｃリング３３は、例えば金属製である。
【００１７】
ハウジング２０は、機器ケース１１の取付孔１１Ｘに配設される固定部２１と、固定部２１の上方（機器ケース１１の外側）に形成された外側フード部２２と、固定部２１の下方（機器ケース１１の内側）に形成された内側フード部２３とを有している。
【００１８】
図４（ａ）に示すように、外側フード部２２は、略矩形の筒状に形成されている。図４（ｂ）に示すように、内側フード部２３は、略矩形の筒状に形成されている。
図３に示すように、固定部２１には複数の端子３１が貫通支持されている。図４（ａ）に示すように、端子３１の一方の端部３１ａは外側フード部２２内に突出している。また、図４（ｂ）に示すように、端子３１の他方の端部３１ｂは、内側フード部２３内に突出している。
【００１９】
図２及び図３に示すように、固定部２１は、概略円柱状に形成されている。
図２に示すように、固定部２１の外周面２１ａには、全周に亘ってシールリング装着溝２１ｂが形成されている。シールリング装着溝２１ｂには、シールリング３２が配設されている。シールリング３２は、例えばゴム製である。ハウジング２０（固定部２１）は、シールリング３２により、取付孔１１Ｘに対して液密に嵌着されている。
【００２０】
図２に示すように、固定部２１の内側端部２１ｃには、径方向外側に向かって延びる内側係合部２１ｄが形成されている。内側係合部２１ｄの外形円形状に形成され、その大きさ（直径）は、取付孔１１Ｘの内径（直径）よりも大きく設定されている。内側係合部２１ｄの外側側面２１ｅは、外側フード部２２に向かうに連れて径が小さくなるテーパ状に形成されている。
【００２１】
従って、内側係合部２１ｄは、機器ケース１１の取付孔１１Ｘにその機器ケース１１の内側から挿入された中継コネクタ１３において、内側係合部２１ｄの外側側面２１ｅは、取付孔１１Ｘの内側端部に係合する。この内側係合部２１ｄの係合により、固定部２１が取付孔１１Ｘに配設される。
【００２２】
図２及び図３に示すように、ハウジング２０（固定部２１）の外周面２１ａにおいて、外側フード部２２側には、Ｃリング装着溝２１ｆが形成されている。Ｃリング装着溝２１ｆは、固定部２１の外周面２１ａの全周に亘って形成されている。Ｃリング装着溝２１ｆには、Ｃリング３３が装着される。
【００２３】
Ｃリング３３は、金属製の線材を略Ｃ字状に曲げ加工したものであって、Ｃリング装着溝２１ｆに沿って装着される略円環状の保持部３３ａと、この保持部３３ａの両端部から接線方向に延びる一対の延出部３３ｂとを備えて構成されている。保持部３３ａは、取付孔１１Ｘの径よりも大きな外径を有する形状に形成されている。延出部３３ｂは、長方形の板状に形成されている。一対の延出部３３ｂにはそれぞれ、延出部３３ｂを貫通する係合孔３３ｃが形成されている。
【００２４】
図２に示すように、Ｃリング装着溝２１ｆに装着されたＣリング３３は、機器ケース１１の外面１１ａに当接する。Ｃリング３３の当接により、ハウジング２０が取付孔１１Ｘから機器ケース１１の内側へ外れることが規制されている。
【００２５】
図２に示すように、外側フード部２２には、制御ユニット１２のコネクタ部１２ａが挿入される。なお、図２及び図３では、制御ユニット１２を、コネクタ部１２ａに対応する部分（図では矩形板状の部分）のみを示している。コネクタ部１２ａには、複数の雌型端子（図示略）が配設され、それらの雌型端子は中継コネクタ１３の端子３１と接続される。
【００２６】
図３に示すように、外側フード部２２には、複数（本実施形態では３つ）のリブ案内溝２２ａが外側フード部２２の内側から外側フード部２２の外側に向かって凹設されている。リブ案内溝２２ａは、中継コネクタ１３の上下方向に沿って延びるように形成されている。なお、中継コネクタ１３の上下方向は、中継コネクタ１３に対するコネクタ部１２ａの挿抜方向となる。つまり、リブ案内溝２２ａは、コネクタ部１２ａの挿抜方向に沿って延びるように形成されている。
【００２７】
これらのリブ案内溝２２ａには、コネクタ部１２ａの外側面に形成されたリブ１２ｂが挿入される。なお、図２では２つのリブ１２ｂが示され、図３では１つのリブ１２ｂが示されている。
【００２８】
図３に示すように、外側フード部２２には、リテーナ３４を保持するリテーナ保持部２２ｂが形成されている。リテーナ保持部２２ｂは、リテーナ３４を図２の水平方向に沿って移動可能とする。なお、図２に示す水平方向は、中継コネクタ１３の外側フード部２２に対するコネクタ部１２ａの挿抜方向と直交する方向である。
【００２９】
図３に示すように、リテーナ３４は、水平方向の移動によって、リブ案内溝２２ａに対して挿抜される。このリブ案内溝２２ａにより案内されるリブ１２ｂには、所定の位置に係合凹部１２ｃが形成されている。コネクタ部１２ａを外側フード部２２に挿入したとき、リブ案内溝２２ａにより案内されるリブ１２ｂの係合凹部１２ｃには、リテーナ３４が挿入される。リテーナ３４は、リブ１２ｂに対して中継コネクタ１３の抜脱方向に係合する。このリブ１２ｂの係合凹部１２ｃとリテーナ３４との係合により、中継コネクタ１３からコネクタ部１２ａが外れることが規制されている。
【００３０】
次に、上述の中継コネクタ１３の作用を説明する。
図２に示すように、中継コネクタ１３のハウジング２０は、機器ケース１１の取付孔１１Ｘに配設される固定部２１と、固定部２１から機器ケース１１の外側に突出する外側フード部２２と、固定部２１から機器ケース１１の内側に配設される内側フード部２３とを有している。固定部２１は、内側端部２１ｃに、取付孔１１Ｘの径よりも大きい外径の内側係合部２１ｄを有し、外側フード部２２側にＣリング装着溝２１ｆが全周に亘って形成されている。また、固定部２１は、内側係合部２１ｄとＣリング装着溝２１ｆとの間に、シールリング装着溝２１ｂを有している。
【００３１】
中継コネクタ１３のハウジング２０は、機器ケース１１の内側から機器ケース１１の外側に向かって取付孔１１Ｘに挿入される。ハウジング２０の固定部２１は、取付孔１１Ｘよりも大きい外形の内側係合部２１ｄを有している。この内側係合部２１ｄが機器ケース１１の取付孔１１Ｘの内側端部に当接してハウジング２０が位置決めされる。固定部２１は、機器ケース１１から突出する外側フード部２２側にＣリング装着溝２１ｆを有している。このＣリング装着溝２１ｆに装着されるＣリング３３は、機器ケース１１の外面１１ａに当接する。Ｃリング３３の当接により、ハウジング２０が機器ケース１１の内側に外れることが規制される。このように、機器ケース１１の外側からハウジング２０にＣリング３３を装着することにより、ハウジング２０が機器ケース１１に固定される。
【００３２】
Ｃリング３３は、略円環状の保持部３３ａの両端部に延出部３３ｂを有し、延出部３３ｂには係合孔３３ｃが形成されている。この係合孔３３ｃに工具を挿入し、保持部３３ａの両端部を拡開、つまり保持部３３ａを拡径することで、Ｃリング３３をハウジング２０から取り外すことができる。そして、Ｃリング３３をハウジング２０から外すことで、ハウジング２０を機器ケース１１の取付孔１１Ｘから内側に取り外すことができる。
【００３３】
中継コネクタ１３の外側フード部２２の外側面には、外側フード部２２に挿入されるコネクタ部１２ａのリブ１２ｂに形成された係合凹部１２ｃと係合してコネクタ部１２ａを抜け止めするリテーナ３４が配設されている。
【００３４】
このため、外側フード部２２に支持されたリテーナ３４を操作することにより、中継コネクタ１３と、その中継コネクタ１３の外側フード部２２に挿入されるコネクタ部１２ａとの抜け止め、取り外しを行うことができる。
【００３５】
以上記述したように、本実施形態によれば、以下の効果を奏する。
（１）中継コネクタ１３のハウジング２０は、機器ケース１１の取付孔１１Ｘに配設される固定部２１と、固定部２１から機器ケース１１の外側に突出する外側フード部２２と、固定部２１から機器ケース１１の内側に配設される内側フード部２３とを有している。固定部２１は、内側端部２１ｃに、取付孔１１Ｘの径よりも大きい外径の内側係合部２１ｄを有し、外側フード部２２側にＣリング装着溝２１ｆが全周に亘って形成されている。また、固定部２１は、内側係合部２１ｄとＣリング装着溝２１ｆとの間に、シールリング装着溝２１ｂを有している。
【００３６】
従って、中継コネクタ１３は、ハウジング２０の固定部２１に形成されたＣリング装着溝２１ｆに対してＣリング３３を装着することで、中継コネクタ１３を機器ケース１１に取り付けることができる。また、Ｃリング３３を取り外すことで、中継コネクタ１３を機器ケース１１の取付孔１１Ｘから取り外すことができる。このように、Ｃリング３３によって、中継コネクタ１３の脱着を容易に行うことができる。
【００３７】
（２）固定部２１のＣリング装着溝２１ｆに装着されたＣリング３３は、機器ケース１１の外面１１ａに当接する。つまり、機器ケース１１の外側から中継コネクタ１３にＣリング３３を装着することで、中継コネクタ１３を機器ケース１１に取り付けることができる。また、Ｃリング３３を工具によって拡径することで、Ｃリング３３をハウジング２０から取り外し、中継コネクタ１３を機器ケース１１から取り外すことができる。このように、機器ケース１１の外側における作業によって中継コネクタ１３の脱着を行うことができる。このため、機器ケース１１の内側に工具等を挿入するスペースを必要としないため、機器ケース１１の小型化を図ることができる。
【００３８】
（３）中継コネクタ１３の外側フード部２２の外側面には、外側フード部２２に挿入されるコネクタ部１２ａのリブ１２ｂに形成された係合凹部１２ｃと係合してコネクタ部１２ａを抜け止めするリテーナ３４が配設されている。このため、外側フード部２２に支持されたリテーナ３４を操作することにより、中継コネクタ１３と、その中継コネクタ１３の外側フード部２２に挿入されるコネクタ部１２ａとの抜け止め、取り外しを容易に行うことができる。
【００３９】
尚、上記実施形態は、以下の態様で実施してもよい。
・上記実施形態のＣリング３３は、工具を挿入可能な係合孔３３ｃを有する。これに対し、保持部３３ａの両端部を拡開可能であればよく、Ｃリング３３の形状を適宜変更してもよい。
【００４０】
・上記実施形態では、１つのリテーナ３４を有する中継コネクタ１３としたが、２つ以上のリテーナを備えるようにしてもよい。
・上記実施形態では、液密を必要とする機器ケース１１に取り付けられる中継コネクタ１３としたが、液密を必要としない機器ケースに取り付けられる中継コネクタとしてもよい。この場合、シールリング３２を必要としないため、固定部２１のシールリング装着溝２１ｂを省略することができる。
【符号の説明】
【００４１】
１３…中継コネクタ、２０…ハウジング、２１…固定部、２２…外側フード部、２３…内側フード部、３１…端子、３２…シールリング、３３…Ｃリング、３４…リテーナ。
【図１】
2018107018.tif 000003
【図２】
2018107018.tif 000004
【図３】
2018107018.tif 000005
【図４】
2018107018.tif 000006